(57)【要約】【課題】かご室の意匠性を損なうことなく、かご室の換気性を確保することができ、快適なかご室内の空間を演出できるエレベータの乗り籠を得ることにある。【解決手段】エレベータの乗り籠は、空気を吹き出す少なくとも一つの通風口が開口された天井面を有するかご室を備えている。かご室内を照らす光源が天井面に取り付けられている。天井面に照明ケースが支持されている。照明ケースは、天井面から離れた位置で光源および通風口を下方から覆うとともに、通風口から吹き出す空気を受け止める。【選択図】図８
2017081719.tif 000002
【特許請求の範囲】
【請求項１】
空気を吹き出す少なくとも一つの通風口が開口された天井面を有するかご室と、
前記天井面に取り付けられ、前記かご室内を照らす光源と、
前記天井面に支持され、前記天井面から離れた位置で前記光源および前記通風口を下方から覆うとともに、前記通風口から吹き出す空気を受け止める照明ケースと、
を具備したエレベータの乗り籠。
【請求項２】
前記照明ケースの周縁部と前記天井面との間に、空気が流通する隙間が形成された請求項１に記載のエレベータの乗り籠。
【請求項３】
前記かご室は、かご扉で開閉される乗降口と、前記乗降口と向かい合う背板と、を有し、前記通風口は、前記背板に隣接した前記天井面の後端部に位置されるとともに、前記かご室の幅方向に延びた形状を有する請求項１又は請求項２に記載のエレベータの乗り籠。
【請求項４】
前記照明ケースは、前記天井面の中央部で前記かご室の奥行き方向に延びているとともに、当該照明ケースの後端部が前記通風口の真下に位置された請求項３に記載のエレベータの乗り籠。
【請求項５】
前記天井面から下向きに突出され、前記かご室の幅方向に延びた第１のブラケットと、前記天井面と向かい合う前記照明ケースの裏面から前記天井面に向けて突出された第２のブラケットと、をさらに備え、
前記第１のブラケットおよび前記第２のブラケットは、前記照明ケースで下方から覆われているとともに、
前記通風口は、前記第１のブラケットよりも前記かご室の奥行き方向に沿う背後に位置された請求項３に記載のエレベータの乗り籠。
【請求項６】
空気を吹き出す少なくとも一つの通風口が開口された天井面を有するかご室と、
前記天井面に取り付けられ、前記かご室内を照らす間接照明式の照明装置と、
を具備したエレベータの乗り籠であって、
前記照明装置は、前記天井面に向けて光を放射する光源と、前記天井面から離れた位置で前記光源および前記通風口を下方から覆い隠す照明ケースと、を含み、前記照明ケースは、前記通風口から吹き出す空気を受け止める風受け部を有するエレベータの乗り籠。
【発明の詳細な説明】
【技術分野】
【０００１】
本発明の実施形態は、天井面に通風口を有するエレベータの乗り籠に関する。
【背景技術】
【０００２】
様々な人が利用するエレベータでは、乗り籠のかご室をより快適で清潔な空間とすることが求められている。そのため、従来では、かご室の換気性を確保するため、かご室の天井面に送風機から送られた空気が吹き出す通風口が開口されている。
【先行技術文献】
【特許文献】
【０００３】
【特許文献１】特開平５−３３０７６４号公報
【発明の概要】
【発明が解決しようとする課題】
【０００４】
かご室に乗り込んだ人が通風口から吹き出す空気の流れに直に晒された場合、人によっては風圧を強く感じることがあり、かご室の快適性を高める上で改善の余地がある。さらに、通風口がかご室に乗り込んだ人の目に留まると、通風口の存在が強調されてしまい、かご室の意匠性に悪影響を及ぼす一つの要因となる。
【０００５】
本発明の目的は、かご室の意匠性を損なうことなくかご室の換気性を確保することができ、快適なかご室内の空間を演出できるエレベータの乗り籠を得ることにある。
【課題を解決するための手段】
【０００６】
実施形態によれば、エレベータの乗り籠は、空気を吹き出す少なくとも一つの通風口が開口された天井面を有するかご室と、前記天井面に取り付けられ、前記かご室内を照らす光源と、前記天井面に支持された照明ケースと、備えている。照明ケースは、前記天井面から離れた位置で前記光源および前記通風口を下方から覆うとともに、前記通風口から吹き出す空気を受け止めるように構成されている。
【図面の簡単な説明】
【０００７】
【図１】実施形態に係るエレベータの乗り籠の内部を示す斜視図である。
【図２】通風口が開口された天井面に複数のＬＥＤユニットおよび一対の第１のブラケットを取り付けた状態を示す平面図である。
【図３】複数のＬＥＤユニット、一対の第１のブラケットおよび通風口をセードで覆い隠した状態を示す平面図である。
【図４】単一のＬＥＤユニットの斜視図である。
【図５】ＬＥＤユニットに補強レールを固定した状態を示す斜視図である。
【図６】ＬＥＤユニットとセードとの位置関係を示す断面図である。
【図７】セードを天井面と向かい合う裏面の方向から見た斜視図である。
【図８】天井面に開口された通風口とセードとの位置関係を断面で示す照明装置の側面図である。
【図９】図８のＦ９−Ｆ９線に沿う断面図である。
【図１０】第１のブラケットの斜視図である。
【図１１】（Ａ）は、セードを天井面に固定した時の第１のブラケットと第２のブラケットとの位置関係を示す側面図である。（Ｂ）は、天井面に対するセードの固定を解除した時の第１のブラケットと第２のブラケットとの位置関係を示す側面図である。
【発明を実施するための形態】
【０００８】
以下、実施形態について、図面を参照して説明する。
【０００９】
図１は、エレベータの乗り籠１の内部構造を示している。乗り籠１は、様々な人が乗り込むかご室２を有している。かご室２は、床板３、側板４、背板５および天板６で囲まれた四角い箱状の要素であって、二枚のかご扉７で開閉される乗降口８を備えている。
【００１０】
かご室２の背板５は、乗降口８と向かい合うように起立されているとともに、背板５の上端が天板６の後端に連なっている。天板６は、かご室２に露出されたフラットな天井面９を有している。天井面９は、かご室２の意匠性を高めるため、例えば光反射処理が施されている。
【００１１】
図１ないし図３に示すように、間接照明式の照明装置１１が天井面９の中央部に設置されている。照明装置１１は、複数のＬＥＤユニット１２およびセード１３を主要な要素として備えている。ＬＥＤユニット１２は光源の一例であって、天井面９の上に第１の発光列１４ａおよび第２の発光列１４ｂを規定している。
【００１２】
具体的には、第１の発光列１４ａおよび第２の発光列１４ｂは、夫々かご室２の奥行き方向に一直線状に延びているとともに、かご室２の幅方向に互いに間隔を存して並んでいる。
【００１３】
第１の発光列１４ａおよび第２の発光列１４ｂは、かご室２の奥行き方向に一列に並べられた四個のＬＥＤユニット１２で構成されている。ＬＥＤユニット１２の個数は、四個に特定されるものではなく、例えばかご室２の大きさに応じて適宜変更が可能である。
【００１４】
図４および図５に最もよく示されるように、各ＬＥＤユニット１２は、金属ベース１５および複数のＬＥＤパッケージ１６を有している。金属ベース１５は、例えば細長い板状の支持部１７と、支持部１７の一側から立ち上がる側板部１８と、を備え、側板部１８の上端には、水平に折り曲げられたフランジ部１８ａが形成されている。
【００１５】
ＬＥＤパッケージ１６は、支持部１７の上に配列されている。各ＬＥＤパッケージ１６は、四角い基板２０の上に実装されたＬＥＤチップ２１と、ＬＥＤチップ２１を覆ったレンズ２２と、を備えている。支持部１７の上のＬＥＤパッケージ１６は、保護フィルム２３で覆われている。
【００１６】
図２および図５に示すように、第１の発光列１４ａを構成する四個のＬＥＤユニット１２および第２の発光列１４ｂを構成する四個のＬＥＤユニット１２は、夫々補強レール２５を介して一体的に連結されている。補強レール２５は、ＬＥＤユニット１２の配列方向に沿って一直線状に延びている。補強レール２５は、水平な第１の板部２５ａと、第１の板部２５ａの一側から下向きに直角に折り曲げられた第２の板部２５ｂと、を有している。
【００１７】
図５および図６に示すように、補強レール２５の第１の板部２５ａは、金属ベース１５のフランジ部１８ａの上に重ね合わされている。第１の板部２５ａは、フランジ部１８ａを貫通する複数のねじ部(図示せず)を有し、当該ねじ部の貫通端にナット２６がねじ込まれている。これにより、補強レール２５がＬＥＤユニット１２の金属ベース１５に連結されている。
【００１８】
それとともに、補強レール２５の第１の板部２５ａは、複数のボルト２７を介して天板５の天井面９に締結されている。このため、第１の発光列１４ａおよび第２の発光列１４ｂは、天井面９に直付けされている。
【００１９】
第１の発光列１４ａおよび第２の発光列１４ｂが天井面９に直付けされた状態では、ＬＥＤパッケージ１６のレンズ２２が天井面９と向かい合っている。このため、図６に矢印で示すように、ＬＥＤチップ２１から放射された光は、レンズ２２を通じて天井面９に向かうとともに、天井面９で下向きに反射されてかご室２内を間接的に照明する。
【００２０】
図３、図７および図８に示すように、照明装置１１のセード１３は、かご室２の奥行き方向に延びた長方形の形状を有している。セード１３は、照明ケースの一例であって、遮光性を有している。
【００２１】
セード１３は、かご室２に露出された表面１３ａと、天井面９と向かい合う裏面１３ｂと、を有している。セード１３の外周縁部１３ｃは、表面１３ａから裏面１３ｂに向けて折り返されている。
【００２２】
さらに、セード１３は、一対の嵌合孔２８ａ，２８ｂを有している。嵌合孔２８ａ，２８ｂは、セード１３の長手方向に離れているとともに、セード１３の幅方向に沿う中央部に位置されている。
【００２３】
図７ないし図９に示すように、補強金具３０がセード１３の裏面１３ｂの中央部に取り付けられている。補強金具３０は、セード１３の裏面１３ｂから天井面９に向けて突出されているとともに、セード１３の長手方向に延びている。
【００２４】
補強金具３０は、細長いフラットな支持部３０ａと、支持部３０ａの長手方向に沿う両側縁部からセード１３の裏面１３ｂに向けて折り曲げられた一対の側板部３０ｂ，３０ｃと、側板部３０ｂ，３０ｃの先端縁から水平に折り曲げられたフランジ部３０ｄ，３０ｅと、を備えている。フランジ部３０ｄ，３０ｅは、例えば接着等の手段によりセード１３の裏面１３ｂに固定されている。
【００２５】
補強金具３０がセード１３の裏面１３ｂに固定された状態では、補強金具３０の支持部３０ａがセード１３の嵌合孔２８ａ，２８ｂの上方に位置されているとともに、側板部３０ｂ，３０ｃがセード１３の裏面１３ｂから上向きに突出されている。
【００２６】
図７に示すように、一対の通孔３２ａ，３２ｂが補強金具３０の支持部３０ａに形成されている。通孔３２ａ，３２ｂは、夫々セード１３の嵌合孔２８ａ，２８ｂの真上に位置されている。
【００２７】
一対の固定ブラケット３３ａ，３３ｂが補強金具３０の支持部３０ａの上に固定されている。固定ブラケット３３ａ，３３ｂは、通孔３２ａ，３２ｂを上方から覆っている。さらに、固定ブラケット３３ａ，３３ｂは、天井面９に接するフラットな固定面３４を有している。一対の挿通孔３５が固定面３４に開口されている。挿通孔３５は、通孔３２ａ，３２ｂおよび嵌合孔２８ａ，２８ｂを通じてセード１３の表面１３ａの方向から視認可能となっている。
【００２８】
図８に示すように、セード１３は、一対の第１のブラケット４０ａ，４０ｂおよび一対の第２のブラケット４１ａ，４１ｂを介して天井面９に仮止めされている。図２に示すように、第１のブラケット４０ａ，４０ｂは、第１の発光列１４ａおよび第２の発光列１４ｂを外れた位置で天井面９に直付けされ、第１の発光列１４ａおよび第２の発光列１４ｂと直交する方向に延びている。
【００２９】
言い換えると、第１のブラケット４０ａ，４０ｂは、かご室２の幅方向に沿って水平に延びているとともに、かご室２の奥行き方向に間隔を存して平行に配置されている。このため、一方の第１のブラケット４０ａは、乗り籠１の背板５の上端と隣り合い、他方の第１のブラケット４０ｂは、乗降口８の上端の付近に位置されている。
【００３０】
図１０および図１１に一方の第１のブラケット４０ａを代表して示すように、第１のブラケット４０ａは、板状の起立部４２と、起立部４２の上縁から水平に折り曲げられたフランジ状の取り付け部４３と、起立部４２の下縁から取り付け部４３とは逆向きに水平に折り曲げられたフランジ状のガイド部４４と、を備えている。
【００３１】
第１のブラケット４０ａ，４０ｂの取り付け部４３は、夫々二本のボルト４５で天井面９に固定されている。そのため、一方の第１のブラケット４０ａの起立部４３は、第１の発光列１４ａの後端と第２の発光列１４ｂの後端との間で天井面９から下向きに突出されている。
【００３２】
図７に示すように、第２のブラケット４１ａ，４１ｂは、セード１３の裏面１３ｂの長手方向に沿う両端部においてセード１３の幅方向に水平に延びている。第２のブラケット４１ａ，４１ｂは、夫々板状の取り付け部４７と、取り付け部４７の一側縁部から上向きに折り曲げられた起立部４８と、起立部４８の上縁から水平に折り曲げられたフランジ状のガイド部４９と、を備えている。
【００３３】
第２のブラケット４１ａ，４１ｂの取り付け部４７は、例えばセード１３の裏面１３ｂに接着等の手段により固定されている。第２のブラケット４１ａ，４１ｂの起立部４８は、セード１３の裏面１３ｂから天井面９に向けて突出されており、起立部４８の上縁に連続するガイド部４９がセード１３の幅方向に水平に延びている。
【００３４】
第２のブラケット４１ａ，４１ｂのガイド部４９は、セード１３の長手方向に沿う両端部よりもセード１３の内側に入り込んだ位置にあり、セード１３を表面１３ａの側から見た場合、ガイド部４９がセード１３によって覆い隠されている。
【００３５】
図１１に示すように、第２のブラケット４１ａ，４１ｂのガイド部４９は、第１のブラケット４０ａ，４０ｂのガイド部４５と天井面９との間に差し込まれている。このため、図１３（Ｂ）に示すように、ガイド部４５，４９は、かご室２の高さ方向に互いに向かい合っており、ガイド部４５，４９が互いに重なり合うことで、セード１３が天井面９に仮止めされる。
【００３６】
図３および図８に示すように、セード１３は、複数のボルト５０を介して天井面９に固定されている。ボルト５０は、セード１３の嵌合孔２８ａ，２８ｂから固定ブラケット３３ａ，３３ｂの挿通孔３５を通じて天井面９にねじ込まれている。
【００３７】
この結果、固定ブラケット３３ａ，３３ｂの固定面３４が天井面９に接触し、セード１３が天井面９に沿う水平の姿勢で天井面９に固定されている。図１３（Ａ）に示すようにセード１３が天井面９に固定された状態では、第２のブラケット４１ａ，４１ｂのガイド部４９が第１のブラケット４０ａ，４０ｂのガイド部４５から上方に離脱するとともに、セード１３の裏面１３ｂと天井面９との間に通気用の隙間Ｇが確保されている。
【００３８】
本実施形態では、セード１３の嵌合孔２８ａ，２８ｂに夫々ダウンライト５１が嵌め込まれている。ダウンライト５１は、セード１３に一体的に埋め込まれているとともに、セード１３を天井面９に固定するボルト５０を下方から覆い隠している。
【００３９】
一方、図８に示すように、乗り籠１は、かご室２を換気する送風機５３を搭載している。送風機５３は、例えば天板６の上面の後端部に据え付けられている。
【００４０】
送風機５３は、ケーシング５４と、ケーシング５４に収容された羽根車５５と、を備えている。ケーシング５４は、かご室２に向けて開口された吹出口５６を有している。羽根車５５は、ケーシング５４内で回転することにより昇降路内の空気を吸い込むとともに、吸い込んだ空気を加圧して吹出口５６に送出する。
【００４１】
ケーシング５４の吹出口５６は、乗り籠１の天板６に開けた通風口５７に接続されている。本実施形態によると、通風口５７は、スリット状の開口形状を有し、乗り籠１の後端部でかご室２に開口されている。通風口５７は、第１のブラケット４０ａの起立部４２と乗り籠１の背板５の上端との間に位置されるとともに、起立部４２の背後でかご室２の幅方向に延びている。
【００４２】
図８に示すように、照明装置１１のセード１３の後端部は、通風口５７よりも乗り籠１の背板５に向けて延出されている。そのため、セード１３の後端部は、通風口５７に真下に位置された風受け部５８を有している。本実施形態によると、風受け部５８は、セード１３の裏面１３ｂの後端部に固定された一方の第１のブラケット４１ａの一部で構成されている。
【００４３】
したがって、天井面９の中央部に位置された照明装置１１のセード１３は、天井面９から離れた位置で第１の発光列１４ａ、第２の発光列１４ｂおよび通風口５７を下方から全面的に覆い隠している。
【００４４】
このような構成において、送風機５３が動作を開始すると、回転する羽根車５５が昇降路内の空気を吸い込むとともに、吸い込んだ空気を加圧して吹出口５６から通風口５７を通じてかご室２内に吹き出す。
【００４５】
本実施形態によると、天井面９に直付けされた照明装置１１のセード１３は、その後端部で天井面９に開口された通風口５７を下方から全面的に覆い隠しており、当該セード１３の後端部に通風口５７の真下に位置された風受け部５８が設けられている。
【００４６】
このため、天井面９の通風口５７から吹き出す空気は、かご室２に吹き出した直後にセード１３の風受け部５８によって受け止められる。さらに、本実施形態によると、風受け部５８は、かご室２の幅方向に延びた第１のブラケット４０ａの背後に位置するので、かご室２の前方に向かう空気の流れが第１のブラケット４０ａによって遮られる。
【００４７】
この結果、通風口５７から吹き出した空気の多くは、図１および図８に矢印Ａで示すように、風受け部５８に沿ってセード１３の後方に向けて流れ、セード１３の後端と天井面９との間の隙間Ｇを通じてかご室２内に流出する。
【００４８】
通風口５７から吹き出した空気の残りは、図１および図８に矢印Ｂで示すように、風受け部５８に沿ってセード１３の右側および左側に向けて流れ、セード１３の右側縁と天井面９との間の隙間Ｇおよびセード１３の左側縁と天井面９との間の隙間Ｇを通じてかご室２内に流出する。
【００４９】
したがって、本実施形態によれば、通風口５７から吹き出した空気がセード１３の周囲に拡散され、かご室２に吹き出す空気の風圧を和らげることができる。しかも、セード１３は、通風口５７から吹き出した空気を受けるに止まり、空気の流れを絞ることはないので、かご室２に向けて流出する空気の流速が高まることはない。
【００５０】
よって、かご室２に乗り込んだ人に風圧を感じさせることなく、かご室２の換気性を十分に確保することが可能となり、快適なかご室２内の空間を演出することができる。
【００５１】
さらに、天井面９に開口された通風口５７は、遮光性を有するセード１３で下方から覆い隠されている。そのため、通風口５７がかご室２に乗り込んだ人の目に留まることはなく、間接照明式の照明装置１１を採用したことと相まって、かご室２の意匠性を良好に維持することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
実施形態において、通風口の開口形状はスリット状に制約されない。例えば、通風口を円形あるいは四角い複数の通孔を互いに間隔を存して配列した孔集合体で構成してもよく、通風口の開口形状に特に制約はない。
【００５４】
さらに、通風口の数も一つに特定されるものではなく、例えば図２に破線で示すように、天井面９のうち補強金具３０を間に挟んで向かい合う位置に複数の通風口５７を追加してもよい。天井面９に複数の通風口５７を配置する場合、送風機５３の吹出口５６と通風口５７との間を複数に分岐されたダクトで接続することが望ましい。
【００５５】
加えて、照明カバーは、遮光性を有するセードに特定されるものではなく、例えばＬＥＤユニットに対応する箇所が光拡散性を有する透過性材料で構成されたカバーでも同様に実施可能である。
【符号の説明】
【００５６】
２…かご室、９…天井面、１１…照明装置、１３…照明カバー（セード）、１６…光源（ＬＥＤパッケージ）、５７…通風口、５８…風受け部。
【図１】
2017081719.tif 000003
【図２】
2017081719.tif 000004
【図３】
2017081719.tif 000005
【図４】
2017081719.tif 000006
【図５】
2017081719.tif 000007
【図６】
2017081719.tif 000008
【図７】
2017081719.tif 000009
【図８】
2017081719.tif 000010
【図９】
2017081719.tif 000011
【図１０】
2017081719.tif 000012
【図１１】
2017081719.tif 000013